(57)【要約】      （修正有）【課題】より単純な構成で、足部廻りのマットレスを、ベッド装置のボトムの収縮に合わせることができる、ボトム延長機能を有するベッド装置に対応するマットレスを提供する。【解決手段】マットレス素材として単層のウレタンフォーム１１を、表地１２として不織布や、ポリエステル製編み物、あるいは撥水性布部材によって被った構成とする。また、このマットレス１０は、メインフレーム４の長さを伸張した状態のベッド装置に対応した、全長を有する。そして、このマットレス１０において、ベッド装置の足側寄りのボトムから、延長フレーム上の延長ボトムに載置する足側箇所を、局所的に反発度を調整する打抜加工を施すことで、前記ボトム長の短縮調節に追従収縮変形可能とした足側調節部１３とする。【選択図】図２
2006136669.tif 000002
【特許請求の範囲】
【請求項１】
ベッド装置における足側の箇所をベッド装置長手方向に伸縮調節してボトム長を調節する構成とし、前記ボトム上に載置して、ボトム最長時の寸法に対応した長さの軟質性素材で構成したマットレス素材を有し、このマットレス素材の前記ベッド装置足側寄りの箇所に対応した部位を、反発性を低減させる加工により、前記ボトム長の調節に追従させてマットレス素材長手方向に収縮変形可能とする足側調節部としたことを特徴とするボトム延長機能を有するベッド装置に対応するマットレス。
【請求項２】
前記マットレス素材は、ボトム起伏機能を有するベッド装置のボトムに対応して分割する構成とし、この分割したマットレス素材のうち、前記足側調節部を下肢部の位置に対応させ、前記足側調節部に、少なくとも厚さ方向の反発性に比較して、ボトム長手方向の反発性を他の箇所のマットレス素材に比較して低減させる加工を施したことを特徴とする請求項１記載のボトム延長機能を有するベッド装置に対応するマットレス。
【請求項３】
前記足側調節部には、厚さ方向に十字状打抜加工を、所定間隔ごとに且つ千鳥状に施したことを特徴とする請求項１または２記載のボトム延長機能を有するベッド装置に対応するマットレス。
【請求項４】
前記足側調節部には、厚さ方向に−字状打抜加工を、所定間隔ごとに且つ千鳥状に施したことを特徴とする請求項１または２記載のボトム延長機能を有するベッド装置に対応するマットレス。
【請求項５】
前記足側調節部には、マットレス幅方向の直線状打抜加工を、所定間隔ごとに厚さ方向に施し、前記直線状打抜加工による直線状打抜に、直交するように切込をそれぞれ適宜間隔ごとに形成したことを特徴とする請求項１または２記載のボトム延長機能を有するベッド装置に対応するマットレス。
【請求項６】
前記足側調節部における打抜加工を、マットレス長手方向端部近傍を比較的密に施したことを特徴とする請求項３ないし５記載のうち、いずれか１記載のボトム延長機能を有するベッド装置に対応するマットレス。
【発明の詳細な説明】
【技術分野】
【０００１】
本発明は、より単純な構成で、足部近傍のマットレスを、ベッド装置のボトムの収縮に合わせることができる、ボトム延長機能を有するベッド装置に対応するマットレスに関するものである。
【背景技術】
【０００２】
近来のベッド装置、特に病院用ベッド装置では、ほとんどが起伏式ボトムを有するものであり、このようなベッド装置に使用されるマットレスは、ボトムの傾斜に追従して屈曲できるように工夫がなされている。
一方、ベッド装置は、所定の規格を基に形成されており、例えば使用者の中には、前記規格のベッドでは適合しない人（身長が高すぎてマットレス上に乗ると、足がフットボードに当たって、大腿部から下肢部を伸ばすことができない人）もおり、このような使用者のために、予めフレーム全長を通常の規格寸法よりも長く設定しておき、足側ボトムに、延長用ボトムをボード取付け部の目板を利用して取り付けて対処してきた。
また、最近では、予め規格寸法の異なる、交換用の足側フレームを備えて、適合した長さの足側フレームに交換して対処することも提案されている。
そして、このようなベッド装置には、ボトムの全長を最長にした際、別に延長用マットレスを用意するか、前記ボトムの全長を最長にした寸法のマットレスを用いていた。
【０００３】
しかしながら、前記ベッド装置のボトムを収縮して使用する場合、ボトム最長に合わせたマットレスは、一部、特に足側の部分が局所的に折れ曲がったり、湾曲したりして、使いづらくなり、見た目もいいものではなかった。
【０００４】
そこで、このような対策として、例えば、
【特許文献１】（特表２００３−５２４４８３）がある。  このベッド装置では、収縮自在な足側フレームを有して、このベッド装置に用いられるマットレスとして、頭部と座部と調整自在の長さを持つ足部とを含み、前記頭部、座部及び足部が共働して調整自在の長さを有する患者休息面を形成し、かつ前記足部が調整自在の長さの発泡材部及び前記発泡材部の堅さより小さい堅さのかかと圧力緩和部とを有するものを開示している。  このようなマットレスによれば、足側フレームの収縮に合わせて、マットレスの足部を、ベッド長手方向に縮めることができ、特に足側のマットレスが型くずれを起こすようなことはないとしている。
【発明の開示】
【発明が解決しようとする課題】
【０００５】
しかしながら、上記マットレスの構成として、足部は、伸張し引込めることができるように複数の波形のスロットを設けている。このように、足回りのマットレスは、複数の部材で構成しているので、構造的に複雑化し、製造の手間とコストを抑えることは困難である。
本発明はこのような背景から、提案されたものであって、より単純な構成で、足部廻りのマットレスを、ベッド装置のボトムの収縮に合わせることができる、ボトム延長機能を有するベッド装置に対応するマットレスを提供することを目的とする。
【課題を解決するための手段】
【０００６】
前記した課題を解決するために、本発明では、請求項１において、ベッド装置における足側の箇所をベッド装置長手方向に伸縮調節してボトム長を調節する構成とし、前記ボトム上に載置して、ボトム最長時の寸法に対応した長さの軟質性素材で構成したマットレス素材を有し、このマットレス素材の前記ベッド装置足側寄りの箇所に対応した部位を、反発性を低減させる加工により、前記ボトム長の調節に追従させてマットレス素材長手方向に収縮変形可能とする足側調節部としたボトム延長機能を有するベッド装置に対応するマットレスを提案する。
また本発明では、請求項２において、前記マットレス素材は、ボトム起伏機能を有するベッド装置のボトムに対応して分割する構成とし、この分割したマットレス素材のうち、前記足側調節部を下肢部の位置に対応させ、前記足側調節部に、少なくとも厚さ方向の反発性に比較して、ボトム長手方向の反発性を他の箇所のマットレス素材に比較して低減させる加工を施したボトム延長機能を有するベッド装置に対応するマットレスを提案する。
また本発明では、請求項３において、前記足側調節部には、厚さ方向に十字状打抜加工を、所定間隔ごとに且つ千鳥状に施したボトム延長機能を有するベッド装置に対応するマットレスを提案する。
また本発明では、請求項４において、前記足側調節部には、厚さ方向に−字状打抜加工を、所定間隔ごとに且つ千鳥状に施したボトム延長機能を有するベッド装置に対応するマットレスを提案する。
また本発明では、請求項５において、前記足側調節部には、マットレス幅方向の直線状打抜加工を、所定間隔ごとに厚さ方向に施し、前記直線状打抜加工による直線状打抜に、直交するように切込をそれぞれ適宜間隔ごとに形成したボトム延長機能を有するベッド装置に対応するマットレスを提案する。
さらに本発明では、請求項６において、前記足側調節部における打抜加工を、マットレス長手方向端部近傍を比較的密に施したボトム延長機能を有するベッド装置に対応するマットレスを提案する。
【発明の効果】
【０００７】
本発明によれば、素材の要部の簡単な打抜加工のみで、足部近傍のマットレスを、ベッド装置のボトムの収縮に合わせることができ、製造コストの上昇を抑えることができる。
【０００８】
請求項１によれば、使用者の身長が標準以上の場合は、ボトム最長時の寸法に対応した長さのマットレスに横たわり、使用することができる。
一方、使用者が標準身長以内の範囲であると見られる場合は、ベッド装置のボトム長を収縮調節する。このとき、マットレスは、フットボードに当たった状態でベッド装置の頭側に押し込まれるが、マットレス素材の前記ボトムの足側寄りの足側調節部が、マットレス素材長手方向に収縮変形して、ボトム長の調節に追従する。
【０００９】
請求項２によれば、マットレス素材は、ボトム起伏調節に追従するだけでなく、下肢部に対応する足側調節部が、ボトム長の調節に追従してマットレス素材長手方向に収縮変形することができる。
【００１０】
請求項３によれば、足側調節部には、厚さ方向に十字状打抜加工を、所定間隔ごとに且つ千鳥状に施したので、前記足側調節部は、型くずれを起こすことなく、ボトムの収縮に追従して縮むことができる。
【００１１】
請求項４によれば、足側調節部には、厚さ方向に−字状打抜加工を、所定間隔ごとに且つ千鳥状に施したので、前記足側調節部は、型くずれを起こすことなく、ボトムの収縮に追従して縮むことができる。
【００１２】
請求項５によれば、足側調節部における直線状打抜加工による直線状打抜と直交する切込がボトム長の調節に追従して縮むことで、前記足側調節部は、型くずれを起こすことなく、マットレス素材長手方向に収縮変形することができる。
【００１３】
請求項６によれば、足側調節部における打抜加工を、マットレス長手方向端部近傍を比較的密に施したので、前記足側調節部は、一層、型くずれを起こすことなく、ボトムの収縮に追従して縮むことができる。
【発明を実施するための最良の形態】
【００１４】
以下、本発明にかかるボトム延長機能を有するベッド装置に対応するマットレスにつき、一つの実施の形態を挙げ、添付の図面に基づいて説明する。
図１にボトム延長機能を有するベッド装置１の一例を示す。このベッド装置１は、台車部２に、昇降脚部３を介してメインフレーム４を支持し、メインフレーム４上にボトム５を保持する構成としている。
このベッド装置１において、メインフレーム４の末端側、すなわちメインフレーム４のフットボード６と当接する端面側から、メインフレーム４長手方向に進退可能に延長フレーム７を設けている。
すなわち、この延長フレーム７にフットボード６を固定して、フットボード６を引っ張ることで、前記延長フレーム７を引き出して、メインフレーム４の長さを伸張する構成である。また、前記延長フレーム７が引き出された際、延長フレーム７上を覆うように、フットボード６のボトム５側に対向する面に、パネル状の延長ボトム８を格納展開可能に保持している。また、前記メインフレーム４のフットボード６と当接する端面側近傍には、延長ボトム８をフットボード６から引出し展開した際に、メインフレーム４上で延長ボトム８を支承するための支持部材９を設けている。
なお、前記延長フレーム７がフレーム３内から引き出された際、不用意に延長フレーム７がフレーム３内に退動しないように、適宜な拘束手段（図示省略）を備えることができる。また、逆に、延長フレーム７を引き出さないで使用する場合に、前記延長フレーム７が、使用しているうちに簡単に引き出されないようにロック手段を設けるようにしてもよい。
【００１５】
以上のような構成のベッド装置１に用いられる、本発明にかかるマットレス１０を説明する。
このマットレス１０は、図２に示すように、マットレス素材として例えば単層のウレタンフォーム１１を、表地１２として不織布や、ポリエステル製編み物、あるいは撥水性布部材によって被った構成としている。また、このマットレス１０は、フットボード６を引っ張って延長フレーム７を引き出すことで、メインフレーム４の長さを伸張した状態のベッド装置１に対応した、全長を有している。そして、このマットレス１０において、ベッド装置１の足側寄りのボトム５から、延長フレーム７上の延長ボトム８に載置する足側箇所には、マットレス素材であるウレタンフォーム１１に、局所的に反発度を調整する打抜加工を施すことで、前記ボトム長の短縮調節に追従収縮変形可能とした足側調節部１３としている。
なお、前記マットレス１０は、マットレス素材である単層のウレタンフォーム１１は、ベッド装置１におけるボトム５の傾斜機能（ギャッチ機能）に対応させて、複数のブロックに分離して構成することもできる（例えば、背ボトムに対応する背部マットレス、腰ボトムに対応する腰部マットレス、また、膝ボトムに対応する膝部マットレス、足ボトムに対応する足部マットレス）。
【００１６】
そこで、次に、前記足側調節部１３について説明する。
すなわち前記足側調節部１３には、マットレス素材であるウレタンフォーム１１に、局所的に反発度を調整する打抜加工として、所定間隔ごとに且つ千鳥状に厚さ方向に十字状打抜加工によって、多数の十字貫通溝１４を形成している。
これら十字貫通溝１４は、十字状の微細幅の溝Ｇよりなる。すなわち、十字貫通溝１４は、ウレタンフォーム１１厚さ方向に貫通しており、マットレス１０の足側の位置に、縦横に、それぞれ所定間隔ごとに列設され、且つ隣接する十字貫通溝１４の列が千鳥状に、すなわち互い違いに並ぶようにずれて形成している。
【００１７】
以上のようにマットレス１０は構成されているので、使用に当たり、先ず、ボトム延長機能を有するベッド装置１を、使用者の身長に応じて、ボトム長を調節する。もし、使用者の身長が標準より高い場合には、ベッド装置１のボトム長は最大のままで使用することとなる（図３参照）。マットレス１０は、もともとベッド装置１のボトム長の最大に合わせた、長さ寸法のものであるので、使用者はそのまま、ボトム５上のマットレス１０に横たわり、使用することができる。
【００１８】
一方、使用者が、標準身長の範囲にあると見られる場合は、ベッド装置１のボトム長を収縮させる必要が出てくる。この際、マットレス１０の足側調節部１３下の延長フレーム７上の延長ボトム８をフットボード６内に格納し、次いで、前記フットボード６をベッド装置１頭側に向かって押し込んでいくことで、ボトム長を収縮することができる。
【００１９】
前記フットボード６をベッド装置１頭側に向かって押し込んでいくと、前記延長フレーム７がメインフレーム４内に収容されていくにつれ、マットレス１０の足側調節部１３が前記フットボード６により、ベッド装置１頭側に向かって、すなわちベッド装置１長手方向に押圧される（図１参照）。
その際、マットレス１０は、前記足側調節部１３のみが、所定間隔ごとに且つ千鳥状に厚さ方向に十字状打抜加工によって、多数の十字貫通溝１４を形成しているので、マットレス１０の他の箇所より、ベッド装置１長手方向、すなわちマットレス１０長手方向に反発性が低下しており、これによって、前記十字状の微細幅の溝Ｇのうち、マットレス１０幅方向側の溝Ｇが徐々につぶれていき、やがては、前記十字状の微細幅の溝Ｇ全てがふさがるようになる（図４参照）。
その際、十字貫通溝１４は、前記足側調節部１３に偏在することなく千鳥状に形成したので、前記足側調節部１３は、そのままベッド装置１頭側に向かって収縮状態となる。このため、前記足側調節部１３は、上下方向に折れ曲がったり、また、湾曲したり等、型くずれなど起こすことなく、ベッド装置１のボトム長に追従させて変形収縮させることができる。
これによって、使用者は、足側がマットレス１０から突き上げるような感じを受けることなく、マットレス１０に横たわることができる。
【００２０】
なお、マットレス素材である単層のウレタンフォーム１１を、ベッド装置１における傾斜機能（ギャッチ機能）を有するボトム５に対応させて、複数のブロックに分離して構成すれば、前述のマットレス１０は、ボトム長の調節に追従してマットレス素材長手方向に収縮変形するだけでなく、マットレス１０全体を、ボトム起伏調節に追従させることができ、ベッド装置１により適したものとなる。
【００２１】
以上、本発明にかかるボトム延長機能を有するベッド装置に対応するマットレス１０につき、一つの実施の形態を挙げ、説明したが、足側調節部１３は、マットレス素材であるウレタンフォーム１１に、局所的に反発度を調整する打抜加工としては、前述のような十字状打抜加工の他、例えば、図５に示すように、厚さ方向に−字状打抜加工によって−字状打抜溝１５を、所定間隔ごとに且つ千鳥状に形成することもできる。
【００２２】
このような−字状打抜溝１５によっても、マットレス１０の他の箇所より、マットレス１０長手方向に反発性を低下させることができ、且つ、前記足側調節部１３に偏在することなく千鳥状に形成したので、前記足側調節部１３は、そのままベッド装置１頭側に向かって収縮状態となり、前記足側調節部１３が、上下方向に折れ曲がったり、また、湾曲したり等、型くずれなど起こすことなく、ベッド装置１のボトム長に追従させて変形収縮させることができる（図６参照）。
【００２３】
また、足側調節部１３の、局所的な反発度を調整する打抜加工としては、図７に示すようにマットレス幅方向の直線状打抜加工によって、直線状打抜溝１６を所定間隔ごとに厚さ方向に施し、且つこれら直線状打抜溝１６に、直交する切込Ｓをそれぞれ適宜間隔ごとに形成するようにしてもよい。
【００２４】
このような直線状打抜溝１６によっても、前記足側調節部１３は、上下方向に折れ曲がったり、また、湾曲したり等、型くずれなど起こすことなく、ベッド装置１のボトム長に追従させて変形収縮させることができる（図８参照）。
【００２５】
さらに、前記足側調節部１３は、ベッド装置１のボトム長を収縮させる際、フットボード６と当たる端部寄りが先ず、押圧される。このため、足側調節部１３における打抜加工（十字状打抜加工、−字状打抜加工、直線状打抜加工）を、図示は省略するが、マットレス１０の足側調節部１３の端部近傍を比較的密に施せば、その分、反発度を大きく低下させることができるので、前記足側調節部１３は、一層、型くずれを起こすことなく、ボトム５の収縮に追従して縮むことができる。
【図面の簡単な説明】
【００２６】
【図１】本発明にかかるマットレスを、ボトム延長機能を有するベッド装置に用いた側面図である。
【図２】図１に示すベッド装置に用いたマットレスの斜視説明図である。
【図３】図２に示すマットレスの平面図である。
【図４】図３に示すマットレスの、ベッド装置のボトム長を収縮した際の平面図である。
【図５】本発明にかかるマットレスの別例を示す、平面図である。
【図６】図５に示すマットレスの、ベッド装置のボトム長を収縮した際の平面図である。
【図７】本発明にかかるマットレスの別例を示す、平面図である。
【図８】図７に示すマットレスの、ベッド装置のボトム長を収縮した際の平面図である。
【符号の説明】
【００２７】
１                        ベッド装置
２                        台車部
３                        メインフレーム
４                        ボトム
５                        フットボード
６                        延長フレーム
７                        延長ボトム
８                        支持部材
９                        マットレス
１０                      ウレタンフォーム
１１                      表地
１２                      足側調節部
１３                      十字貫通溝
１４                      −字状打抜溝
１５                      直線状打抜溝
Ｇ                        溝
Ｓ                        切込
【図１】
2006136669.tif 000003
【図２】
2006136669.tif 000004
【図３】
2006136669.tif 000005
【図４】
2006136669.tif 000006
【図５】
2006136669.tif 000007
【図６】
2006136669.tif 000008
【図７】
2006136669.tif 000009
【図８】
2006136669.tif 000010